(57)【要約】      （修正有）【課題】スダレを網戸サッシ、窓サッシ、サッシ枠、窓ガラスに着脱自在に取り付けるためのスダレ取付構造を提供する。【解決手段】網戸サッシ３、窓サッシ、サッシ枠、窓ガラスの周辺に雄または雌の面ファスナー１を付設し、網戸サッシ３、窓サッシ、サッシ枠、窓ガラスの周辺に付設した面ファスナーに合わせて、スダレ２の周辺に雌または雄の面ファスナーを付設することによって、網戸サッシ３、窓サッシ、サッシ枠、窓ガラスにスダレ２を面ファスナー１で取り付けたり、取り外したり出来るようにした。【選択図】図１
0003142522.tif 000002
【実用新案登録請求の範囲】
【請求項１】
マジックテープ１を網戸サッシ３、窓サッシ、サッシ枠、窓ガラスの周辺に付設して、マジックテープ１をスダレ２の周辺に網戸サッシ３、窓サッシ、サッシ枠、窓ガラスの周辺に付設したマジックテープ１に合わせて付設して、スダレ２を網戸サッシ３、窓サッシ、サッシ枠、窓ガラスに着脱自在に取り付けるようにしたスダレ取付構造。
【請求項２】
スダレ２の表面に雄のマジックテープ１を付設した時はスダレ２の裏面に雌のマジックテープ１を、スダレ２の表面に雌のマジックテープ１を付設した時はスダレ２の裏面に雄のマジックテープ１を付設したことを特徴とする請求項１に記載のスダレ取付構造。
【考案の詳細な説明】
【技術分野】
【０００１】  本考案は、スダレを網戸サッシ、窓サッシ、サッシ枠、窓ガラスに着脱自在に取り付けるための構造に関するものである。
【背景技術】
【０００２】  スダレは窓の近くに設けて、通風性を持ちながらも、野外から屋内が見透かされるのを防ぐ目隠しと、日差しを遮る日除けを目的として使用されている。【０００３】  窓に用いられている網戸は通気性を持たせながらも蚊などの害虫が野外から侵入することを防ぐことを目的としているために、目隠しや日除けなどの遮光性はない。
一方、スダレには窓の目隠しや日除けの効果はあるが、窓全体を覆うようにして取り付けなければならない。【０００４】  従来、窓や網戸にスダレを着脱自在に取り付けて遮光性と通気性をもたらした発明があるが、従来の発明のものは取り付け構造が複雑なことから、容易に着脱自在に取り付けることは困難であり、かつ、目隠しや日除けを窓の上方部で行いたい、または下方部で行いたいといったことは出来ないように、目隠しや日除けの範囲を自由に設定できないといった問題点があった。【０００５】
【特許文献１】  特開２００２−２４２５６４号公報
【考案の開示】
【考案が解決しようとする課題】
【０００６】  本考案は上記問題点を解消するために、スダレを網戸サッシ、窓サッシ、サッシ枠、窓ガラスに着脱自在とし、目隠しや日除けの範囲に応じてスダレの取り付け範囲を自由に変えられるスダレ取付構造を提供することを目的としている。
【課題を解決するための手段】
【０００７】  上記目的を達成するために、網戸サッシ、窓サッシ、サッシ枠、窓ガラスの周囲四辺にマジックテープ（面ハスナー）を付設し、網戸サッシ、窓サッシ、サッシ枠、窓ガラスの周辺に付設したマジックテープに合わせて、スダレにマジックテープを付設して、スダレを網戸枠に着脱自在に取り付けられるようにしたものである。
【考案の効果】
【０００８】  本考案は以下に記載されたような効果を奏する。
スダレを網戸サッシ、窓サッシ、サッシ枠、窓ガラスに着脱自在に取り付けることが出来る。
また、スダレと網戸の上部または下部の一部を剥すことによって、望む範囲でスダレを架けることができることから、目隠しや日除けの範囲を自由に変えることが出来る。
【実施例】
【０００９】  図１に示すように、網戸サッシ３の周辺にマジックテープ１の雄または雌を接着剤で貼り付けて付設する。網戸サッシ３と同じ丈と幅をもつスダレ２の周辺にマジックテープ１の雌または雄を接着剤で貼り付けるかまたは縫い付けて付設する。【００１０】  網戸サッシ３に付設したマジックテープ１にスダレ２を付設したマジックテープ１を合せて網戸サッシ３にスダレ２を取り付ける。スダレ２を必要としない時はマジックテープ１で剥がしてスダレ２を網戸サッシ３から取り除くとよい。また、網戸サッシ３と共にスダレ２を左右に移動させることができる。【００１１】  図２に示すように、スダレ２表面の周辺に雄のマジックテープ１を付設するとスダレ２裏面の周辺には雌のマジックテープ１を付設し、またはスダレ２表面の周辺に雌のマジックテープ１を付設するとスダレ２裏面の周辺には雄のマジックテープ１を付設することによって、スダレ２を下方からまたは上方からマジックテープ１を剥しながら巻くと、網戸サッシの所定の位置でスダレ２を留め置くことができる。【００１２】  スダレ２を巻き上げまたは巻き下した部分では網戸サッシ３の網のみとなることから、この部分で屋外を見通すことができるし、窓の通風性も少し良くなる。かつ、網戸サッシ３にスダレ２が取り付いて網をスダレ２が重なった部分は目隠しまたは日除けとなることから、目隠しまたは日除けを所望の範囲で設定することができる。【００１３】  スダレ２および網戸サッシ３の周辺に付設するマジックテープ１は全周囲に付設してもよいし、部分的に付設してもよい。
【産業上の利用可能性】
【００１４】  本考案のスダレは窓の建具である網戸サッシ、窓サッシ、サッシ枠、窓ガラスに簡便に取り付け、取り外しすることによって目隠し、日除け、通風を考慮できる住宅用建具として有用である。
【図面の簡単な説明】
【図１】  スダレおよび網戸にマジックテープを取り付けた状態を示すものである。
【図２】  スダレを巻き上げた状態を示すものである。
【符号の説明】
１    マジックテープ
２    スダレ
３    網戸サッシ
【図１】
0003142522.tif 000003
【図２】
0003142522.tif 000004
【手続補正書】
【提出日】平成20年3月6日(2008.3.6)
【手続補正１】
【補正対象書類名】実用新案登録請求の範囲
【補正対象項目名】全文
【補正方法】変更
【補正の内容】
【実用新案登録請求の範囲】
【請求項１】
面ファスナー１を網戸サッシ３、窓サッシ、サッシ枠、窓ガラスの周辺に付設して、面ファスナー１をスダレ２の周辺に網戸サッシ３、窓サッシ、サッシ枠、窓ガラスの周辺に付設した面ファスナー１に合わせて付設して、スダレ２を網戸サッシ３、窓サッシ、サッシ枠、窓ガラスに着脱自在に取り付けるようにしたスダレ取付構造。
【請求項２】
スダレ２の表面に雄の面ファスナー１を付設した時はスダレ２の裏面に雌の面ファスナー１を、スダレ２の表面に雌の面ファスナー１を付設した時はスダレ２の裏面に雄の面ファスナー１を付設したことを特徴とする請求項１に記載のスダレ取付構造。
【手続補正２】
【補正対象書類名】明細書
【補正対象項目名】全文
【補正方法】変更
【補正の内容】
【考案の詳細な説明】
【技術分野】
【０００１】  本考案は、スダレを網戸サッシ、窓サッシ、サッシ枠、窓ガラスに着脱自在に取り付けるための構造に関するものである。
【背景技術】
【０００２】  スダレは窓の近くに設けて、通風性を持ちながらも、野外から屋内が見透かされるのを防ぐ目隠しと、日差しを遮る日除けを目的として使用されている。【０００３】  窓に用いられていろ網戸は通気性を持たせながらも蚊などの害虫が野外から侵入することを防ぐことを目的としているために、目隠しや日除けなどの遮光性はない。
一方、スダレには窓の目隠しや日除けの効果はあるが、窓全体を覆うようにして取り付けなければならない。【０００４】  従来、窓や網戸にスダレを着脱自在に取り付けて遮光性と通気性をもたらした発明があるが、従来の発明のものは取り付け構造が複雑なことから、容易に着脱自在に取り付けることは困難であり、かつ、目隠しや日除けを窓の上方部で行いたい、または下方部で行いたいといったことは出来ないように、目隠しや日除けの範囲を自由に設定できないといった問題点があった。【０００５】
【特許文献１】  特開２００２−２４２５６４号公報
【考案の開示】
【考案が解決しようとする課題】
【０００６】  本考案は上記問題点を解消するために、スダレを網戸サッシ、窓サッシ、サッシ枠、窓ガラスに着脱自在とし、目隠しや日除けの範囲に応じてスダレの取り付け範囲を自由に変えられるスダレ取付構造を提供することを目的としている。
【課題を解決するための手段】
【０００７】  上記目的を達成するために、網戸サッシ、窓サッシ、サッシ枠、窓ガラスの周囲四辺に面ファスナーを付設し、網戸サッシ、窓サッシ、サッシ枠、窓ガラスの周辺に付設した面ファスナーに合わせて、スダレに面ファスナーを付設して、スダレを網戸枠に着脱自在に取り付けられるようにしたものである。
【考案の効果】
【０００８】  本考案は以下に記載されたような効果を奏する。
スダレを網戸サッシ、窓サッシ、サッシ枠、窓ガラスに着脱自在に取り付けることが出来る。
また、スダレと網戸の上部または下部の一部を剥すことによって、望む範囲でスダレを架けることができることから、目隠しや日除けの範囲を自由に変えることが出来る。
【実施例】
【０００９】  図１に示すように、網戸サッシ３の周辺に面ファスナー１の雄または雌を接着剤で貼り付けて付設する。網戸サッシ３と同じ丈と幅をもつスダレ２の周辺に面ファスナー１の雌または雄を接着剤で貼り付けるかまたは縫い付けて付設する。【００１０】  網戸サッシ３に付設した面ファスナー１にスダレ２を付設した面ファスナー１を合せて網戸サッシ３にスダレ２を取り付ける。スダレ２を必要としない時は面ファスナー１で剥がしてスダレ２を網戸サッシ３から取り除くとよい。また、網戸サッシ３と共にスダレ２を左右に移動させることができる。【００１１】  図２に示すように、スダレ２表面の周辺に雄の面ファスナー１を付設するとスダレ２裏面の周辺には雌の面ファスナー１を付設し、またはスダレ２表面の周辺に雌の面ファスナー１を付設するとスダレ２裏面の周辺には雄の面ファスナー１を付設することによって、スダレ２を下方からまたは上方から面ファスナー１を剥しながら巻くと、網戸サッシの所定の位置でスダレ２を留め置くことができる。【００１２】  スダレ２を巻き上げまたは巻き下した部分では網戸サッシ３の網のみとなることから、この部分で屋外を見通すことができるし、窓の通風性も少し良くなる。かつ、網戸サッシ３にスダレ２が取り付いて網とスダレ２が重なった部分は目隠しまたは日除けとなることから、目隠しまたは日除けを所望の範囲で設定することができる。【００１３】  スグレ２および網戸サッシ３の周辺に付設する面ファスナー１は全周囲に付設してもよいし、部分的に付設してもよい。
【産業上の利用可能性】
【００１４】  本考案のスダレは窓の建具である網戸サッシ、窓サッシ、サッシ枠、窓ガラスに簡便に取り付け、取り外しすることによって目隠し、日除け、通風を考慮できる住宅用建具として有用である。
【図面の簡単な説明】
【図１】  スダレおよび網戸に面ファスナーを取り付けた状態を示すものである。
【図２】  スダレを巻き上げた状態を示すものである。
【符号の説明】
１    面ファスナー
２    スダレ
３    網戸サッシ
【手続補正３】
【補正対象書類名】図面
【補正対象項目名】全図
【補正方法】変更
【補正の内容】
【図１】
0003142522.tif 000005
【図２】
0003142522.tif 000006